(57)【要約】【課題】日照管理の確保が容易な栽培装置を提供する。【解決手段】本発明の栽培装置１は、上面が開口し、内部に養液を貯留する養液貯留容器１０と、前記養液貯留容器の１０上部に配置され、且つ培地４６を配置可能であり、前記養液貯留容器１０に対して回転可能な培地収容容器４０と、前記養液貯留容器１０に貯留された養液を前記培地収容容器４０に散水する散水ライン３１と、前記散水ライン３に養液を送る送液ポンプ３０と、を備える。【選択図】図１
2018110535.tif 000002
【特許請求の範囲】
【請求項１】
上面が開口し、内部に養液を貯留する養液貯留容器と、
前記養液貯留容器の上部に配置され、且つ培地を配置可能であり、前記養液貯留容器に対して回転可能な培地収容容器と、
前記養液貯留容器に貯留された養液を前記培地収容容器に散水する散水ラインと、
前記散水ラインに養液を送る送液ポンプと、
を備える栽培装置。
【請求項２】
前記送液ポンプは前記養液貯留容器内に配置され、
前記散水ラインは、前記送液ポンプから前記養液貯留容器内を上に延びる第１部分と、
前記第１部分に連結され、前記培地収容容器内を上に延びる第２部分と、
前記第２部分の上部から水平に延び前記培地収容容器に散水する散水部とを備え、
前記第２部分及び前記散水部は前記培地収容容器とともに、前記養液貯留容器に固定された前記第１部分に対して回転可能である、
請求項１に記載の栽培装置。
【請求項３】
前記第１部分と前記第２部分とは、前記培地収容容器の回転軸上に配置されている、
請求項２に記載の栽培装置。
【発明の詳細な説明】
【技術分野】
【０００１】
本発明は、植物の栽培装置に関する。
【背景技術】
【０００２】
近年、壁面緑化は、都市部で問題になっているヒートアイランド現象の緩和策、省エネ対策の他にも多くの効果が期待できる。壁面を緑化する方法の多くは、土面を利用して植物を栽培するものである。しかし、土面が確保できない等の制約がある場所での壁面緑化には、栽培容器としてプランタが用いられる。
【０００３】
プランタを用いた栽培装置として、従来、底面給水を用いたものがある（特許文献１参照）。特許文献１に記載の栽培装置は、屋外に設置されるもので、上端が開口したハウジングと、このハウジング内の下部に有底状に設けられ最も蒸発散する時期に空にならない程度の水量を貯える貯水槽と、上記ハウジング内の上部に設けられ過剰に含んだ雨水を上記貯水槽へ落下させる培地と、この貯水槽の水を上記培地の乾燥時に上記培地へ供給する給水部材とを備えている。
【先行技術文献】
【特許文献】
【０００４】
【特許文献１】特開平５−２３０６５号公報
【発明の概要】
【発明が解決しようとする課題】
【０００５】
植物の育成には日照時間の確保が必要である。プランタが小さくて軽い場合は、季節や時間に応じてプランタを移動させて日照時間を確保することが可能である。しかし、プランタが大きくて重くなってくると移動が困難で、季節や時間に応じてプランタを移動させて日照時間を確保することが困難である。
【０００６】
本発明は、日照管理の確保が容易な栽培装置を提供することを目的とする。
【課題を解決するための手段】
【０００７】
本発明の栽培装置は、上面が開口し、内部に養液を貯留する養液貯留容器と、前記養液貯留容器の上部に配置され、且つ培地を配置可能であり、前記養液貯留容器に対して回転可能な培地収容容器と、前記養液貯留容器に貯留された養液を前記培地収容容器に散水する散水ラインと、前記散水ラインに養液を送る送液ポンプと、を備える。
【０００８】
前記送液ポンプは前記養液貯留容器内に配置され、前記散水ラインは、前記送液ポンプから前記養液貯留容器内を上に延びる第１部分と、前記第１部分に連結され、前記培地収容容器内を上に延びる第２部分と、前記第２部分の上部から水平に延び前記培地収容容器に散水する散水部とを備え、前記第２部分及び前記散水部は前記培地収容容器とともに、前記養液貯留容器に固定された前記第１部分に対して回転可能であることが好ましい。
【０００９】
前記第１部分と前記第２部分とは、前記培地収容容器の回転軸上に配置されていることが好ましい。
【発明の効果】
【００１０】
本発明によれば、日照管理の確保が容易な栽培装置を提供することができる。
【図面の簡単な説明】
【００１１】
【図１】本発明の第１実施形態の栽培装置の幅方向の断面図である。
【図２】実施形態の栽培装置の使用方法を示す図である。
【図３】栽培装置で栽培される植物が他の形態を示した図である。
【発明を実施するための形態】
【００１２】
以下、図面を参照しながら、本発明の第１実施形態の栽培装置１について説明する。図１は、本発明の実施形態の栽培装置１の概略垂直断面図である。
【００１３】
栽培装置１は、上面が開口し、内部に養液を貯留する養液貯留容器１０と、養液貯留容器１０の開口した上面を塞ぐように配置され、且つ培地４６を配置可能な培地収容容器４０とを備える。栽培装置１は、さらに、養液貯留容器１０の内部に配置された送液ポンプ３０と、送液ポンプ３０により送り出される養液を、複数の培地収容容器４０に散水する散水ラインである散水パイプ３１と、を備える。
【００１４】
（培地収容容器４０）
まず、培地収容容器４０について説明する。培地収容容器４０は、水平断面が円形で上部が開口した有底箱型容器である。培地収容容器４０は、内部に透水性を有する培地４６を収容する。培地収容容器４０の底部４４には排水穴４３が設けられている。培地４６に用いられる培土は、水耕栽培用の、例えば無機物のバーミキュライト、パーライト、ロックウール、ハイドロボール、スポンジ等の、土に比べて軽量且つ水はけのよいものが好ましい。
培地４６には植物５０が植え込まれている。植物５０は、本実施形態では、例えば蔓性の植物である。培地収容容器４０内の培地４６には、棒状の登攀材５１が複数立設されている。植物は、この登攀材５１に巻き付いて上方に延びていく。
【００１５】
（養液貯留容器１０）
養液貯留容器１０は、培地収容容器４０の下部に配置される。養液貯留容器１０は、培地収容容器４０と水平断面が略同形の円形で、上部が開口した有底容器である。
このように、培地収容容器４０と培地収容容器４０とは、水平断面が略同形であるので、養液貯留容器１０の上部に、培地収容容器４０を載置すると、培地収容容器４０と養液貯留容器１０とは、図１に示すように、外観的に略一体に見える。
養液貯留容器１０からは、水道に接続された給水ライン３６が延びている。養液貯留容器１０内には例えば図示しない水位センサが配置され、水位が減少した場合、自動的に給水ライン３から水が追加される。養液貯留容器１０には、水位センサの配線等も接続されている。また、養液貯留容器１０には、養液の濃度が減少しないように、適宜、水溶性の肥料等が追加される。
【００１６】
（送液ポンプ３０）
上述のように、養液貯留容器１０の内部には、送液ポンプ３０が配置されている。送液ポンプ３０は、例えば水陸両用のポンプで低騒音のものが好ましい。
【００１７】
（散水パイプ３１）
送液ポンプ３０から、上方に向かい散水パイプ３１が延びている。
散水パイプ３１は、第１部分としての下部散水パイプ３１ａと、第２部分としての上部散水パイプ３１ｂと、散水部３１ｃとを備える
【００１８】
（下部散水パイプ３１ａ）
下部散水パイプ３１ａは、送液ポンプ３０に連結され、養液貯留容器１０内を延びている。下部散水パイプ３１ａの上部の内径側にはベアリング３２が取り付けられている。
また、下部散水パイプ３１ａの上部には、培地収容容器４０を回転可能に保持するテーブル３３が取り付けられている。
【００１９】
(上部散水パイプ３１ｂ）
上部散水パイプ３１ｂは、下部散水パイプ３１ａとベアリング３２を介して連結され、培地収容容器４０内を延びている。したがって、上部散水パイプ３１ｂは、下部散水パイプ３１ａに対して回転可能である。
散水部３１ｃは、上部散水パイプ３１ｂの上端から水平方向に延びている。本実施形態において散水部３１ｃは、均等な４方向に延びているが、これに限定されない。例えばそれ以上又はそれ以下の方向に延びていてもよい。また、散水部３１ｃには、下面に複数の散水穴３１ｄが設けられている。この散水穴３１ｄより養液が散水される。
【００２０】
（テーブル）
テーブル３３は、円板状で、中央に上部散水パイプ３１ｂが挿通される孔３３ａが開いている。テーブル３３の上面の３か所には窪み３５が形成され、その窪み３５には、それぞれボール３６が配置されている。なお、窪み３５及びボール３６の数は３に限定されず、それ以上であってもよい。
テーブル３３上に培地収容容器４０が配置されると、培地収容容器４０はボール３６の回転によりテーブル３３に対して滑らかに回転可能である。
【００２１】
（動作）
養液貯留容器１０の内部に養液を入れる。培地収容容器４０内には、培地４６としての培養土が入っており、その培養土には植物が植えこまれている。
【００２２】
送液ポンプ３０を作動させる。送液ポンプ３０を作動させる時間は、季節等によって異なるが、例えば１日１回、５分程度とし、その時間はタイマー等で管理可能である。
送液ポンプ３０が作動されると、養液は、下部散水パイプ３１ａ、上部散水パイプ３１ｂを通り、散水部３１ｃへ伝わって、散水部３１ｃの散水穴３１ｄより培地４６へ散水される。散水された養液は、培地４６に浸透する。本実施形態によると、吸収されなかった養液は、排水穴４３から養液貯留容器１０に流出する。
【００２３】
図２は実施形態の栽培装置１の使用例を示す図である。例えば図２に示すように、太陽光が図中左側から照射され、屋根等の影響で、培地収容容器４０において一部、日光が照射されにくい部分があるとする。そうすると、日光が照射されない部分の植物の発育が阻害される。したがって、植物は適宜移動させて日当たりをよくすることが好ましい。
ここで、本実施形態の栽培装置１の養液貯留容器１０には給水ライン３６が取り付けられている。また、水位センサの配線も接続されている。したがって、栽培装置１を養液貯留容器１０も含めた全体を移動させる場合、これらの給水ライン３６や配線も移動させる必要がある。しかし、養液貯留容器１０を給水ライン３６や配線とともに移動させることは容易ではなく、給水ライン３６の取り外れや断線の可能性もある。ゆえに栽培装置１を養液貯留容器１０も含めた全体を移動させることは好ましくない。
しかし、本実施形態では養液貯留容器１０と培地収容容器４０とが分離した２段式構造であり、養液貯留容器１０に対して培地収容容器４０は回転可能である。
したがって、養液貯留容器１０を地面に固定した状態で移動せず、培地収容容器４０だけを回転させることができる。これにより、培地収容容器４０における光が照射されにくい部分を、光が照射されやすい位置に移動させることができる。
【００２４】
図３は、栽培装置１で栽培される植物の他の形態を示した図である。図示するように、例えば、犬や猫等の形状に登攀材５１’が形成されている場合、つる性の植物は、その登攀材５１’に沿って育成する。この場合、栽培装置１の培地の位置が固定されていると、日当たりのよい方向における植物の発育が良好であるが、日当たりが悪い方向における植物の発育が悪くなる。
そうすると、登攀材５１’に沿った特定の形状を形成することが困難になる。
しかし、本実施形態によると、本実施形態の栽培装置１は、養液貯留容器１０に対して培地収容容器４０が回転可能である。したがって、培地収容容器４０を適宜回転させて、植物にまんべんなく光を当てて全体を均等に育成させることができ、植物の形状を整えることができる。
【００２５】
また、養液は送液ポンプ３０により自動で送られるので、使用者の散水及び養液の供給の手間を省くことができる。養液の供給忘れによる乾燥や発育不全が生じることがない。
【００２６】
養液は、かけ流しでなく、培地により吸収されなかった養液は、プランタの排水穴４３より養液貯留容器１０に流れ出る。養液貯留容器１０に貯留された養液は、再度、送液ポンプ３０で培地へと送られるので、養液が無駄になることがない。ゆえに、環境汚染等の可能性が少ない。
【００２７】
養液は養液貯留容器１０内に貯留されるので、液肥管理が容易となり施肥作業が短縮できる。
【００２８】
また、養液貯留容器１０と培地収容容器４０とを一体化しているので、養液タンク等を別途設ける必要がなく、タンクの設置場所が不要となり、省スペース化が図れる。
【００２９】
なお、本実施形態では培地収容容器４０の上部の全面を覆うように養液貯留容器１０が重ねて配置されている。しかし、これに限定されず、培地収容容器４０と養液貯留容器１０との重なりは、全面でなく、一部であってもよい。
また、培地収容容器４０に対する養液貯留容器１０の回転機構は、実施形態の機構に限定されず、培地収容容器４０に対して養液貯留容器１０が回転可能であれば、他の機構であってもよい。
【００３０】
さらに、本実施形態では、培地収容容器４０と養液貯留容器１０の水平方向の断面形状が同形であったが、これに限定されない。異なる形状であってもよい。
【符号の説明】
【００３１】
１    栽培装置
１０    養液貯留容器
３０    送液ポンプ
３１    散水パイプ
３１ａ    下部散水パイプ（第１部分）
３１ｄ    散水穴
３１ｂ    上部散水パイプ（第２部分）
３１ｃ    散水部
３２    ベアリング
３３    テーブル
３３ａ    孔
３５    窪み
３６    ボール
４０    培地収容容器
４３    排水穴
４６    培地
５０    植物
【図１】
2018110535.tif 000003
【図２】
2018110535.tif 000004
【図３】
2018110535.tif 000005